(57)【要約】【課題】プロジェクタによる画像投影中に、カメラ本体に直接触れることなく投影画像に対する操作を可能にする。【解決手段】被写体像を撮像する撮像手段４０と、画像を投影する投影手段３０とを備えるカメラを遠隔操作するカメラ用リモコンは、カメラの機能および投影手段３０による画像の投影機能に関するユーザの操作入力を受け付ける操作部材８１、８２、８３と、操作部材８１、８２、８３で受け付けた操作入力に応じて、カメラへ操作信号を出力する信号出力手段８５とを備え、信号出力手段８５は、カメラの機能および投影機能に含まれる機能のうち一部の機能に関する操作信号を出力する。【選択図】図３
2008249960.tif 000002
【特許請求の範囲】
【請求項１】
被写体像を撮像する撮像手段と、画像を投影する投影手段とを備えるカメラを遠隔操作するカメラ用リモコンにおいて、
カメラの機能および前記投影手段による画像の投影機能に関するユーザの操作入力を受け付ける操作部材と、
前記操作部材で受け付けた操作入力に応じて、前記カメラへ操作信号を出力する信号出力手段とを備え、
前記信号出力手段は、前記カメラの機能および前記投影機能に含まれる機能のうち一部の機能に関する前記操作信号を出力することを特徴とするカメラ用リモコン。
【請求項２】
請求項１に記載のカメラ用リモコンにおいて、
前記操作部材は、前記カメラの機能に関する動作をするための撮影モードと、前記画像の投影機能に関する動作をするための投影モードとを切替える切替部材を含むことを特徴とするカメラ用リモコン。
【請求項３】
請求項１または２に記載のカメラ用リモコンにおいて、
前記操作部材が操作されたことを発光状態によって示す光源と、
前記光源の発光点灯を制御する点灯制御手段とをさらに備えることを特徴とするカメラ用リモコン。
【請求項４】
請求項３に記載のカメラ用リモコンにおいて、
前記点灯制御手段は、前記操作部材により受け付けた操作入力に応じて、前記光源の発光色を制御することを特徴するカメラ用リモコン。
【請求項５】
請求項３または４に記載のカメラ用リモコンにおいて、
前記信号出力手段は、前記光源が発光中に前記操作部材で受け付けた操作入力に応じた前記操作信号を出力することを特徴とするカメラ用リモコン。
【発明の詳細な説明】
【技術分野】
【０００１】
本発明は、プロジェクタを備えるカメラを遠隔操作するカメラ用リモコンに関する。
【背景技術】
【０００２】
従来から、画像を投影するためのプロジェクタ装置を備えたカメラが知られている（たとえば特許文献１）。
【特許文献１】特開２００６−２２２５４７号公報
【発明の開示】
【発明が解決しようとする課題】
【０００３】
しかしながら、プロジェクタによる画像投影中に操作ボタンを操作するためには、机上などに置かれたカメラ本体にユーザが直接触れなければならず、カメラの位置が動いて投影画像のピントがぼやけるなどの問題がある。
【課題を解決するための手段】
【０００４】
請求項１の発明は、被写体像を撮像する撮像手段と、画像を投影する投影手段とを備えるカメラを遠隔操作するカメラ用リモコンにおいて、カメラの機能および投影手段による画像の投影機能に関するユーザの操作入力を受け付ける操作部材と、操作部材で受け付けた操作入力に応じて、カメラへ操作信号を出力する信号出力手段とを備え、信号出力手段は、カメラの機能および投影機能に含まれる機能のうち一部の機能に関する操作信号を出力することを特徴とする。
請求項２の発明は、請求項１に記載のカメラ用リモコンにおいて、操作部材は、カメラの機能に関する動作をするための撮影モードと、画像の投影機能に関する動作をするための投影モードとを切替える切替部材を含むことを特徴とする。
請求項３の発明は、請求項１または２に記載のカメラ用リモコンにおいて、操作部材が操作されたことを発光状態によって示す光源と、光源の発光点灯を制御する点灯制御手段とをさらに備えることを特徴とする。
請求項４の発明は、請求項３に記載のカメラ用リモコンにおいて、点灯制御手段は、操作部材により受け付けた操作入力に応じて、光源の発光色を制御することを特徴する。
請求項５の発明は、請求項３または４に記載のカメラ用リモコンにおいて、信号出力手段は、光源が発光中に操作部材で受け付けた操作入力に応じた操作信号を出力することを特徴とする。
【発明の効果】
【０００５】
本発明によれば、カメラ本体に触れることなく投影手段の機能に関する操作ができるので、安定して画像を投影できる。
【発明を実施するための最良の形態】
【０００６】
図面を参照しながら、本発明の実施の形態によるプロジェクタ付き電子カメラを説明する。図１に示す電子カメラ１において、電子カメラ１のボディ１０の正面には、撮影レンズ１０１、照明光窓１０２、およびプロジェクタ投射窓１０３が設けられている。電子カメラ１の上面には、レリーズボタン１０４、メインスイッチ１０５、およびアクリルなどの透光性の素材で形成された通信窓部１０８ａが設けられている。通信窓部１０８ａの内部には、後述する操作部２０またはリモコン８０からの操作信号を受信するためのインタフェースである通信部１０８が設けられている。通信窓部１０８ａは操作部２０またはリモコン８０の操作位置（電子カメラ１に対して前方、側方、後方）によらず出力される操作信号を受信可能となるように、ボディ１０の正面から見て上面左端部に設けられている。
【０００７】
図２は、図１の電子カメラ１を後方から見た斜視図である。図２（ａ）示すように、ボディ１０の背面には、液晶表示器１０７、およびリモコンとしても利用可能な操作部２０が設けられている。操作部２０は、はめ込み機構もしくはマグネットなどによりボディ１０に着脱可能に設けられ、ボディ１０への装着時には、ボディ１０の外形の一部を形成する。図２（ｂ）には、ボディ１０から操作部２０を取り外した状態を示す。
【０００８】
操作部２０は、ボディ１０に設けられたレリーズボタン１０４やメインスイッチ１０５とは異なる操作をするための操作部材２１、および通信窓部２２ａを備える。操作部材２１は、拡大縮小ボタン２１０、モードボタン２１１、切替ボタン２１２、メニューボタン(MENU)２１３、削除ボタン２１４、ロータリーセレクタ２１５、およびOKボタン２１６などを含む。操作部材２１の上記各種ボタンは、後述するカメラモードにおいて操作されるとともに、投影モードにおいて操作されるものが含まれている。なお、操作部材２１により行なわれる操作については、後に詳説する。
【０００９】
通信窓部２２ａは操作部２０の上部右端部、すなわち操作部２０をボディ１０に装着した場合に、通信窓部１０８ａと隣接する位置に設けられる。通信窓部２２ａの内部には操作部材２１による操作内容を示す各種の操作信号を通信部１０８へ送信するためのインタフェースである通信部２２が設けられている。操作部材２１から出力される操作信号は、操作部２０のボディ１０への装着の有無によらず、通信窓部２２ａおよび１０８ａを介してボディ１０側に送信される。操作信号の送信はたとえば赤外線通信などの光を用いた通信により行なわれる。
【００１０】
図３は、電子カメラ１とは別に設けられて、電子カメラ１を操作するためのリモコン８０の外観を示す図である。リモコン８０は切替ボタン８１、調整ボタン８２、設定ボタン８３、ＬＥＤ８４、および通信窓部８５ａを備える。なお、リモコン８０については、後に詳細に説明する。
【００１１】
図４のブロック図に示すように、電子カメラ１は、操作部２０、プロジェクタ部３０、撮像部４０、制御回路５０、メモリ６０、半押しスイッチ１０４ａ、全押しスイッチ１０４ｂ、メインスイッチ１０５、液晶表示器１０７、通信部１０８、およびメモリカードインタフェース１０９を有する。
【００１２】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１３】
メモリ６０は制御回路５０の作業用メモリとして使用される。半押しスイッチ１０４ａおよび全押しスイッチ１０４ｂは、それぞれレリーズボタン１０４の押下操作に連動してオン信号もしくはオフ信号を制御回路５０へ出力する。
【００１４】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１５】
−撮像部−
撮像部４０は、撮影レンズ４０１（図１において１０１）、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００１６】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００１７】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。
【００１８】
−プロジェクタ部−
図４、図５を参照して、プロジェクタ部３０について説明する。図４のブロック図、および図５のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投射制御回路３０６、および屈曲プリズム３０７を備える。液晶パネル３０２は、投射制御回路３０６からの駆動信号に応じて光像を生成する。なお、本実施の形態では、液晶パネル３０２として図５に示すように反射型の液晶パネルを使用する。投射制御回路３０６は、制御回路５０から出力される投影指令に応じてＬＥＤ光源３０３および液晶パネル３０２へ制御信号を送出する。
【００１９】
ＬＥＤ光源３０３は、白色光を射出する白色ＬＥＤであり、投射制御回路３０６を介して入力した制御回路５０の投影指令に基づいて、図５に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００２０】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を右向きに進行し、液晶パネル３０２の反射面で反射された後、液晶層を左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２１】
投影光学系３０１は、液晶パネル３０２から射出される光像を屈曲プリズム３０７へ導く。レンズ駆動回路３００は、投射制御回路３０６から出力されるフォーカス調節信号に基づいて、投影光学系３０１を構成するフォーカスレンズ（不図示）を光軸Ｌ２方向へ進退駆動する。レンズ駆動回路３００はさらに、投射制御回路３０６から出力されるズーム調節信号に基づいて、投影光学系３０１を構成するズームレンズ（不図示）を光軸Ｌ２方向へ進退駆動する。屈曲プリズム３０７は投影光学系３０１から入射した投影光を光軸Ｌ３の方向へ偏向してプロジェクタ投射窓１０３から投影画像をボディ１０の正面に向けて投影する。
【００２２】
電子カメラ１には、上述したプロジェクタ装置（プロジェクタ部）３０が搭載されている。この電子カメラ１は正面に配設されるスクリーンなどに向けて、画像などの情報をプロジェクタ投射窓１０３から投影する。そのため、電子カメラ１は、プロジェクタ装置３０により画像を投影するための投影モードと、撮像部４０により画像を撮影するためのカメラモードとを動作モードとして有する。
【００２３】
次に、操作部２０およびリモコン８０について説明する。操作部２０により操作可能な内容に関しては、機能限定が加えられていない。たとえば、投影画像のガンマ補正やホワイトバランスの調整などを操作部材２１からの操作で行なうことができる。一方、リモコン８０による操作可能な内容は、操作部２０で操作可能な内容の一部となるように機能限定が加えられ、たとえば上記のガンマ補正やホワイトバランスの調整などの調整頻度の低い項目の調整を行なうことができない。すなわち、リモコン８０は簡易的な調整に用いられるものである。
【００２４】
−操作部２０−
拡大縮小ボタン２１０が操作されると、拡大縮小スイッチ２１０ａから各種の操作信号が出力される。拡大縮小スイッチ２１０ａは異なる操作信号を択一的に出力するシーソースイッチとして構成され、操作内容に応じて右押し操作信号、左押し操作信号、右長押し操作信号、および左長押し操作信号が出力される。電子カメラ１がカメラモードで動作中には、拡大縮小ボタン２１０は撮影レンズ４０１のズーミング調整、および液晶表示器１０７に再生表示中の画像の拡大縮小操作に用いられる。電子カメラ１が投影モードで動作中には、拡大縮小ボタン２１０は、投影画像のズーミング操作に用いられる。また、投影モードにおいて後述の調整モードが起動されている場合は、拡大縮小ボタン２１０の操作により、各種の調整用パラメータを変更操作することができる。
【００２５】
モードボタン２１１が操作されると、モードスイッチ２１１ａから切替操作信号が出力され、カメラモードで動作中の電子カメラ１の動作を撮影モードと再生モードと間で切り替えることができる。投影モードで動作中の場合は、モードボタン２１１の操作により、投影画像の各種設定をするための調整モードが起動される。調整モードでは、後述するように、たとえば投影画像の焦点状態、光量、画角、および台形補正などの調整内容におけるそれぞれの調整用パラメータを設定することができる。モードボタン２１１が操作されるごとに、焦点調整指示信号、光量調整指示信号、画角調整指示信号、および台形補正指示信号が後述する操作部制御回路２３により上記の順にサイクリックに出力され、通信部２２により送信される。
【００２６】
切替ボタン２１２は、カメラモードと投影モードとの間で電子カメラ１の動作モードを切替えるためのモード切替え操作部材であり、切替ボタン２１２が操作されると切替スイッチ２１２ａから切替操作信号が出力される。また、投影モードにおいて調整モードが起動されている場合に切替ボタン２１２を操作すると、調整モードを終了することができる。メニューボタン２１３がユーザにより操作されると、メニュースイッチ２１３ａから操作信号が出力されて、液晶表示器１０７には電子カメラ１の各種機能を選択、設定するためのメニュー画面が表示される。なお、メニュー画面においては、投影モードで投影する画像に対する調整内容のうち調整モードでは調整できない内容、たとえばガンマ補正などの設定を行なうことができる。
【００２７】
ロータリーセレクタ２１５は、カメラモードで動作中の電子カメラ１において、ユーザは液晶表示器１０７に表示されたメニュー画面上の各種メニューを選択操作するために用いられ、ロータリーセレクタ２１５の操作に応じて、スイッチ２１５ａから操作信号が出力される。ロータリーセレクタ２１５で選択された内容は、ＯＫボタン２１６の操作により、メニュー画面上で選択された設定内容が決定される。また、再生モードに設定されている場合は、ロータリーセレクタ２１５の操作により、液晶表示器１０７に再生表示中の画像をコマ送りもしくはコマ戻しを行なうことができる。電子カメラ１が投影モードで動作中の場合には、ロータリーセレクタ２１５の操作により投影画像を切り替えることがきる。削除ボタン２１４が操作されると、削除スイッチ２１４ａから削除指示信号が出力され、制御回路５０により画像データが記録媒体から削除される。操作部制御回路２３は、各スイッチ２１０ａ〜２１６ａから出力される操作信号に応じた各種信号を通信部２２に出力する。通信部２２は、操作部制御回路２３から受信した信号を、たとえば赤外線で送信する。
【００２８】
−リモコン８０−
切替ボタン８１はカメラモードと投影モードとの間で動作モードを切り替える際に操作される。また、切替ボタン８１は、電子カメラ１の電源がオフの場合は、電源オン操作に用いられる。電子カメラ１の電源がオンの場合は、切替ボタン８１が操作されると、切替スイッチ８１ａから切替操作信号が出力される。また、投影モードにおいて調整モードが起動中の場合は、切替ボタン８１の操作により調整モードを終了することができる。
【００２９】
調整ボタン８２は、電子カメラ１がカメラモードで動作している間は、レリーズボタン１０４と同様に画像の取得を指示する際に操作される。投影モードで動作中の場合は、調整ボタン８２は投影画像の各種設定をするための調整モードの起動および調整内容の切り替えを指示する際に用いられる。調整ボタン８２が操作されるごとに、調整スイッチ８２ａから焦点調整指示信号、光量調整指示信号、画角調整指示信号、および台形補正指示信号がリモコン制御回路８６により上記の順にサイクリックに出力され、通信部８５により送信される。
【００３０】
設定ボタン８３が操作されると設定スイッチ８３ａから操作信号が出力される。設定スイッチ８３ａは操作部２０の拡大縮小スイッチ２１０ａと同様に、異なる操作信号を択一的に出力するシーソースイッチである。設定ボタン８３が押下操作されると、電子カメラ１ではプロジェクタ部３０により投影されている画像の切り替え処理、および上記調整モードにおける調整用パラメータの変更処理が行なわれる。また、設定ボタン８３が長押し操作されると、電子カメラ１ではカメラモードで動作中には撮影レンズ４０１のズーミング調整、投影モードで動作中には投影画像のズーミング調整が行なわれることになる。
【００３１】
上述した切替ボタン８１、設定ボタン８２および設定ボタン８３は、たとえばアクリルなどの光透過性の材料で形成されている。上記の操作ボタンのいずれかがユーザにより押下操作されると、後述するリモコン制御回路８６はＬＥＤ８４を点灯する。ＬＥＤ８４の点灯により、切替ボタン８１、調整ボタン８２、および設定ボタン８３が照明される。上記操作ボタンの操作後、所定時間たとえば５秒間、いずれの操作ボタンも操作されない場合は、リモコン制御回路８６はＬＥＤ８４を消灯する。ＬＥＤ８４が点灯している間、すなわち最初の操作から５秒以内に上記の操作ボタンのいずれかが再び操作されると、操作内容を示す各種操作信号が通信部８５から送信される。なお、以下の説明では、切替ボタン８１、調整ボタン８２、および設定ボタン８３はＬＥＤ８４の点灯中に操作されたものとして説明する。また、操作内容に応じてリモコン制御回路８６はＬＥＤ８４の発光色を変更してもよい。たとえば、調整モードにおいて焦点状態が調整されている場合は赤、光量が調整されている場合は緑、画角が調整されている場合は黄、台形補正されている場合は青などのように発光色を切り替えることができる。
【００３２】
リモコン制御回路８６は、各スイッチ８１ａ〜８３ａから出力される操作信号に応じた各種信号を通信部８５に出力する。通信部８５は、リモコン制御回路８６から受信した各信号を、たとえば赤外線で送信する。
【００３３】
リモコン８０の外表面には、ＬＥＤ８４の発光色と調整モードによる調整内容との対応関係を示す指標８７が印刷されている。指標８７は、たとえば赤色で「焦点調節」、緑色で「光量」、黄色で「画角」、青色で「台形補正」のように印刷されている。したがって、ユーザは、ＬＥＤ８４の発光色と指標８７の印刷色とを比較することによりいずれの調整内容を調整しているのかを容易に把握できる。
【００３４】
次に、電子カメラ１の動作について説明する。
−カメラモード−
電子カメラ１の電源がオフの状態でメインスイッチ１０５もしくはリモコン８０の切替ボタン８１が操作されると、電子カメラ１の電源がオンする。そして、制御回路５０は、電子カメラ１の動作をカメラモードに設定して、撮像部４０を起動する。カメラモードは、被写体像を撮影し、撮影した画像データをメモリカード１１０などで構成される記録媒体に撮影画像ファイルとして保存する動作モードである。撮影開始指示は、レリーズボタン１０４もしくはリモコン８０の調整ボタン８２の押下操作に応じて出力される操作信号が対応する。
【００３５】
撮像部４０は、撮影レンズ４０１を構成するズームレンズを光軸方向にシフトすることにより、撮影レンズ４０の光学ズーム調節を行う。制御回路５０は、受信した操作信号に応じて上述したズーム調節信号を撮影制御回路４０４へ送る。制御回路５０は、右長押し操作信号を受信した場合にズームアップするようにズーム調節信号を送り、左長押し操作信号を受信した場合にはズームダウンするようにズーム調節信号を送る。
【００３６】
−投影モード−
制御回路５０は、電子カメラ１がカメラモードで起動中に、切替ボタン２１２または８１の操作に伴い出力される切替操作信号を受信すると、たとえば「投影モードに移行しますか。移行する場合には切替ボタンを操作してください」などのメッセージを液晶表示器１０７に表示する。再度切替操作信号を受信すると、制御回路５０は、電子カメラ１の動作を投影モードに切替える。すなわち、制御回路５０は、液晶表示器１０７による表示を中止し、ＬＥＤ光源３０３を点灯する。この時、制御回路５０は内部メモリから読み出した壁紙画像データに対応する壁紙画像を投影する。なお、投影モードでは、記録媒体以外から読出された画像データや、電子カメラ１の外部から供給される画像データによる再生画像を投影可能に構成されていてもよい。
【００３７】
投影モードにおいて、拡大縮小ボタン２１０または設定ボタン８３がユーザにより長押し操作されるごとに、投影画像のズーミングを指示する操作信号が通信部２２または８５から出力されて通信部１０８から制御回路５０へ送信される。制御回路５０は、受信した操作信号に応じたズーム調整信号を投影制御回路３０６へ送出する。このズーム調整信号に基づいて投影光学系３０１を構成するズームレンズを光軸Ｌ２方向にシフトすることにより、プロジェクタ部３０は投射像の光学ズーム調整を行なう。なお、カメラモードの場合と同様に、制御回路５０は、右長押し操作信号を受信した場合にズームアップするようにズーム調整信号を送り、左長押し操作信号を受信した場合にはズームダウンするようにズーム調整信号を送る。
【００３８】
モードボタン２１１または調整ボタン８２の操作にともなって出力される操作信号を制御回路５０が受信すると、制御回路５０は投影画像の各種設定をするための調整モードを起動する。調整モードでは、上述した投影画像の焦点状態、光量、画角、および台形補正などの調整内容におけるそれぞれの調整用パラメータを設定することができる。モードボタン２１１または調整ボタン８２が操作されるごとに、焦点調整指示信号、光量調整指示信号、画角調整指示信号、台形補正指示信号、および調整モード終了信号が上記の順に通信部２２または８５からサイクリックに出力される。その結果、制御回路５０は調整モードにおける調整内容を焦点状態→光量→画角→台形補正の順にサイクリックに切り替え、調整用画面を投影させる。調整モード起動中に切替ボタン２１２または８１の操作に応じて出力される切替操作信号を受信すると、制御回路５０は調整モードを終了して通常の画像投影状態に戻す。
【００３９】
（投影像の焦点状態調整）
投影光学系３０１を構成するフォーカスレンズを光軸方向にシフトすることにより、プロジェクタ部３０は投射像の焦点調整を行なう。焦点調整を行なうための調整値は、調整モード起動中に拡大縮小ボタン２１０または設定ボタン８３が操作されると変更される。すなわち、制御回路５０は右押しまたは左押し操作信号を受信するごとに、調整パラメータの値を所定値ごとに引上げまたは引き下げて調整値を変更する。制御回路５０は設定された調整値に応じたフォーカス調整信号を投射制御回路３０６へ出力する。このフォーカス調整信号に基づいて、上述したように、レンズ駆動回路３００は、投影光学系３０１を構成するフォーカスレンズ（不図示）を光軸Ｌ２方向へ進退駆動する。
【００４０】
（投影光量の調整）
ＬＥＤ光源３０３への駆動電流値を制御することにより、プロジェクタ部３０は投射像の光量調整を行なう。光量調整を行なうための調整値は、調整モード起動中に拡大縮小ボタン２１０または設定ボタン８３が操作されると変更される。制御回路５０は、設定された調整値に応じた光量調整信号を投射制御回路３０６へ出力する。投射制御回路３０６は、この光量調整信号に基づいてＬＥＤ光源３０３の発光量、すなわち駆動電流値を制御する。
【００４１】
（投影像の画角調整）
制御回路５０は、画像データに対して電子ズーム処理を施すことにより、投射像の画角調整を行なう。画角調整を行なうための調整値は、調整モード起動中に拡大縮小ボタン２１０または設定ボタン８３が操作されると変更される。調整パラメータの変更された調整値は、制御回路５０内の所定の記録領域に記録される。制御回路５０はこの調整値を読み出し、読み出した調整値に基づいて投影する画像データに対する電子ズーム処理をメモリ６０上で施し、処理後の画像データを投射制御回路３０６へ送出する。
【００４２】
（投影像の台形補正）
投射像が台形状に変化する場合には、制御回路５０は、投射像を台形状から長方形状に補正するために画像処理による電気的な台形補正（キーストン補正）を施す。投射像を方形状に補正するための補正値は、調整モード起動中に拡大縮小ボタン２１０または設定ボタン８３が操作されると変更される。調整パラメータの変更された補正値は、制御回路５０内の所定の記録領域に記録される。制御回路５０はこの補正値を読み出し、読み出した補正値に基づいて投影する画像データに対する台形補正処理をメモリ６０上で施し、処理後の画像データを投射制御回路３０６へ送出する。
【００４３】
（投影画像の選択）
プロジェクタ部３０は、制御回路５０の制御により内部メモリまたはメモリカード１１０のいずれかによるコンテンツを投影する。制御回路５０は、切替ボタン２１２または８１の操作により投影モードが設定された直後には、内部メモリに記録された画像データの中から、液晶表示器１０７の壁紙に指定されている画像データを読み出し、プロジェクタ部３０へ送出する。そして、ロータリーセレクタ２１５または設定ボタン８３の操作による操作信号が入力されるごとに、制御回路５０は、メモリカード１１０内の記録日時が最も古い（記録されている画像データの中で最初に撮影されたもの）画像データから順に読み出し、読み出した画像データをプロジェクタ部３０へ送出する。
【００４４】
メモリカード１１０内の画像データが全て読み出されると、制御回路５０は、ロータリーセレクタ２１５または設定ボタン８３の操作に応じて、内部メモリに記録された画像データを記録日時の古い順に読み出して、プロジェクタ部３０へ送出する。ただし、電子カメラ１にメモリカード１１０が装着されていない場合には、内部メモリに記録された画像データが上記した順序で読み出される。
【００４５】
電子カメラ１が投影モードで動作中に、切替ボタン２１２または８１が操作され、制御回路５０が切替操作信号を受信すると、制御回路５０は液晶表示器１０７の表示を再開して、たとえば「カメラモードに移行しますか。移行する場合には切替ボタンを操作してください」などのメッセージを表示する。再度切替操作信号を受信すると、制御回路５０は投影モードを終了する。すなわちＬＥＤ光源３０３を消灯する。そして、制御回路５０はカメラモードを起動して上述のように撮像部４０を制御する。
【００４６】
図６、７は、電子カメラ１の制御回路５０が実行するプログラムによる処理の流れを説明するフローチャートである。図６、７による処理を行なうプログラムはメモリ（不図示）に格納されており、カメラモードで起動中に切替ボタン２１２または８１の操作による切替操作信号が制御回路５０へ入力されると起動する。なお、本発明は上記電子カメラ１の投影モードにおける動作に特徴を有するので、投影モード起動中に制御回路５０によって行われる制御を中心に説明する。
【００４７】
図６のステップＳ１０１において、液晶表示器１０７に「投影モードに移行しますか。移行する場合には切替ボタンを操作してください」などのメッセージを表示してステップＳ１０２へ進む。ステップＳ１０２においては、切替操作信号を受信したか否かを判定する。切替操作信号を受信した場合は、ステップＳ１０２が肯定判定されてステップＳ１０３へ進む。ステップＳ１０３においては、液晶表示器１０７による表示を中止してステップＳ１０４へ進む。
【００４８】
ステップＳ１０４では、ＬＥＤ光源３０３を点灯してステップＳ１０５へ進む。ステップＳ１０５においては、内部メモリに記録されている壁紙指定された画像データを読み出してステップＳ１０６へ進む。ステップＳ１０６では、ステップＳ１０５で読み出した画像データに基づいて壁紙画像を投影してステップＳ１０７へ進む。
【００４９】
ステップＳ１０７においては、操作信号を受信したか否かを判定する。操作信号を受信した場合は、ステップＳ１０７が肯定判定されてステップＳ１０８へ進む。操作信号を受信しない場合は、ステップＳ１０７における判定処理を繰り返す。ステップＳ１０８においては、ステップＳ１０７で受信した操作信号が投影画像の切替を指示する信号か否かを判定する。ロータリーセレクタ２１５または設定ボタン８３の操作による操作信号の場合は、ステップＳ１０８が肯定判定されてステップＳ１０９へ進む。
【００５０】
ステップＳ１０９においては、投影中の画像が壁紙画像であるか否かを判定する。壁紙画像が投影されている場合は、ステップＳ１０９が肯定判定されてステップＳ１１０へ進む。ステップＳ１１０においては、メモリカード１１０または内部メモリに記録された画像データの中から記録日時が最も古い画像データを読み出してステップＳ１１２へ進む。投影画像が壁紙画像ではない場合は、ステップＳ１０９が否定判定されてステップＳ１１１へ進む。ステップＳ１１１においては、メモリカード１１０または内部メモリから次画像データまたは前画像データを読み出してステップＳ１１２へ進む。
【００５１】
ステップＳ１１２においては、ステップＳ１１０またはＳ１１１で読み出された画像データに基づいて画像を投影してステップＳ１１３へ進む。ステップＳ１１３においては、切替操作信号を受信したか否かを判定する。切替操作信号を受信した場合は、ステップＳ１１３が肯定判定されてステップＳ１１４へ進む。切替操作信号を受信しない場合は、ステップＳ１１３が否定判定されてステップＳ１０７へ戻る。
【００５２】
ステップＳ１１４においては、液晶表示器１０７による表示を再開し、「カメラモードに移行しますか。移行する場合には切替ボタンを操作してください」などのメッセージを表示してステップＳ１１５へ進む。ステップＳ１１５においては、切替操作信号を受信したか否かを判定する。切替操作信号を受信した場合は、ステップＳ１１５が肯定判定されてステップＳ１１６へ進む。ステップＳ１１６では、ＬＥＤ光源３０３を消灯して投影モードにおける一連の処理を終了する。
【００５３】
ステップＳ１１５で切替操作信号を受信せず、ステップＳ１１５が否定判定されて進んだステップＳ１１７においては、ステップＳ１１３において切替操作信号を受信してから所定時間が経過したか否かを判定する。所定時間が経過した場合は、ステップＳ１１７が肯定判定されてステップＳ１１８へ進み、ステップＳ１１４で表示を再開した液晶表示器１０７による表示を中止してステップＳ１０７へ戻る。所定時間が経過していない場合は、ステップＳ１１７が否定判定されてステップＳ１１４へ戻る。
【００５４】
ステップＳ１０２で切替操作信号を受信せず、ステップＳ１０２が否定判定されて進んだステップＳ１１９においても、ステップＳ１１７と同様にして所定時間が経過したか否かを判定する。所定時間が経過していない場合は、ステップＳ１１９が否定判定されてステップＳ１０１へ戻る。所定時間が経過した場合は、ステップＳ１１９が肯定判定されて一連の処理を終了する。
【００５５】
一方、ステップＳ１０７で受信した操作信号が投影画像の切替えを指示する信号でない場合は、ステップＳ１０８が否定判定されてステップＳ１２０へ進む。ステップＳ１２０においては、受信した操作信号が右長押しまたは左長押し操作信号であるか否かを判定する。右長押しまたは左長押し操作信号の場合は、ステップＳ１２０が肯定判定されてステップＳ１２１へ進む。ステップＳ１２１においては、投影光学系３０１を構成するズームレンズを光軸Ｌ２方向にシフトして、投射像の光学ズーム調整を行なってステップＳ１１２へ進む。
【００５６】
モードボタン２１１または調整ボタン８２の操作による操作信号を受信した場合は、ステップＳ１２０が否定判定されてステップＳ１２２へ進む。ステップＳ１２２においては、調整モードにおける各処理を実行する。調整モードにおける処理を実行中に切替ボタン２１２または８１の操作による切替操作信号を受信した場合は、調整モードを終了してステップＳ１１２へ進む。調整モードにおける各処理については、図７に示すフローチャートを参照しながら説明する。
【００５７】
図７のステップＳ２０１において、焦点状態の調整モードを起動してステップＳ２０２へ進む。ステップＳ２０２においては、拡大縮小ボタン２１０または設定ボタン８３の操作による右押しまたは左押し操作信号を受信したか否かを判定する。操作信号を受信しない場合は、ステップＳ２０２が否定判定されてステップＳ２０３へ進む。ステップＳ２０３においては、モードボタン２１１または調整ボタン８２が操作されたか否かを判定する。調整指示信号を受信した場合は、ステップＳ２０３が肯定判定されてステップＳ２０６へ進む。調整指示信号を受信しない場合は、ステップＳ２０２へ戻る。
【００５８】
操作信号を受信した場合は、ステップＳ２０２が肯定判定されてステップＳ２０４へ進む。ステップＳ２０４においては、ステップＳ２０２で受信した操作信号に応じて調整パラメータを変更してステップＳ２０５へ進む。ステップＳ２０５においては、変更された調整パラメータに基づいてフォーカス調整信号を出力し、投影光学系３０１を構成するフォーカスレンズを光軸方向にシフトしてステップＳ２０２へ戻る。
【００５９】
ステップＳ２０６においては、ステップＳ２０３で受信した調整指示信号が光量調整指示であるか否かを判定する。光量調整指示であればステップＳ２０６が肯定判定されてステップＳ２０７へ進む。ステップＳ２０７においては、光量調整モードを起動してステップＳ２０８へ進む。ステップＳ２０８（拡大縮小ボタンまたは設定ボタンの操作有無判定）からステップＳ２１０（パラメータ変更）までの各処理は、ステップＳ２０２（拡大縮小ボタンまたは設定ボタンの操作有無判定）からステップＳ２０４（パラメータ変更）までの各処理と同様の処理を行なう。ステップＳ２１１においては、ステップＳ２１０で変更された調整パラメータに基づいて光量調整信号を出力し、ＬＥＤ光源３０３の光量を変更してステップＳ２０８へ戻る。
【００６０】
ステップＳ２０６において、調整指示信号が光量調整指示でない場合は、ステップＳ２０６が否定判定されてステップＳ２１２へ進む。ステップＳ２１２においては、指示信号が画角調整指示信号であるか否かを判定する。画角調整指示信号を受信した場合は、ステップＳ２１２が肯定判定されてステップＳ２１３へ進む。
【００６１】
ステップＳ２１３においては、画角調整モードを起動してステップＳ２１４へ進む。ステップＳ２１４（拡大縮小ボタンまたは設定ボタンの操作有無判定）からステップＳ２１６（パラメータ変更）までの各処理は、ステップＳ２０２（拡大縮小ボタンまたは設定ボタンの操作有無判定）からステップＳ２０４（パラメータ変更）までの各処理と同様の処理を行なう。ステップＳ２１７においては、ステップＳ２１６で変更された調整パラメータに基づいて設定した画角調整信号を出力し、画像データに対して電子ズーム処理を施して画角を変更してステップＳ２１４へ戻る。
【００６２】
ステップＳ２１２において、調整指示信号が画角調整指示信号ではない場合は、ステップＳ２１２が否定判定されてステップＳ２１８へ進む。ステップＳ２１８においては、調整指示信号が台形補正指示信号か否かを判定する。台形補正指示信号の場合は、ステップＳ２１８が肯定判定されてステップＳ２１９へ進む。
【００６３】
ステップＳ２１９においては、台形補正モードを起動してステップＳ２２０へ進む。ステップＳ２２０（拡大縮小ボタンまたは設定ボタンの操作有無判定）からステップＳ２２２（パラメータ変更）までの各処理は、ステップＳ２０２（拡大縮小ボタンまたは設定ボタンの操作有無判定）からステップＳ２０４（パラメータ変更）までの各処理と同様の処理を行なう。ステップＳ２２３においては、ステップＳ２２２で変更された調整パラメータに基づいて設定した補正値を出力し、画像処理により台形補正を施してステップＳ２２０へ戻る。
【００６４】
ステップＳ２１８において、調整指示信号が台形補正指示信号ではない場合は、ステップＳ２１８が否定判定されてステップＳ２２４へ進む。ステップＳ２２４においては、調整指示信号が焦点調整指示信号であるか否かを判定する。焦点調整指示信号の場合は、ステップＳ２２４が肯定判定されてステップＳ２０１へ戻る。焦点調整指示信号ではない場合は、ステップＳ２２４が否定判定されてステップＳ２０６へ戻る。
【００６５】
以上で説明した実施の形態の電子カメラ１によれば、以下の作用効果が得られる。
（１）ボディ１０に着脱可能な操作部２０に操作部材２１を設けた。操作部材２１による操作には、プロジェクタ部３０の機能に関する動作が含まれるようにした。したがって、投影モードにおいてはボディ１０から取り外した操作部２０から投影画像に関する各種操作ができるので、ユーザの操作によりボディ１０の載置位置が移動して投影画像のピントや投影位置などがずれるという事態を防ぐことができる。
【００６６】
（２）操作部２０を装着時にはボディ１０の外形の一部を構成するようにし、操作部材２１で操作可能な電子カメラ１の機能と、レリーズボタン１０４およびメインスイッチ１０５で操作可能な電子カメラ１の機能とはそれぞれ異なるようにした。したがって、操作部材２１で操作可能な機能とボディ１０側で操作可能な機能とが重複しないので、撮影動作などのように操作部２０をボディ１０に装着したまま使用する場合であっても、従来からのカメラの操作感覚を損なうことなく使用できる。
【００６７】
（３）ボディ１０に設けられた通信部１０８と、操作部２０に設けられた通信部２２により、操作部材２１の操作に応じて出力される各種操作信号を通信可能にした。通信部１０８はボディ１０の正面から見て上面左端部に設けられているので、ユーザは電子カメラ１から離れた場所から、電子カメラ１に対する操作位置（前方、後方、横側）によらずに操作することができる。したがって、会議やプレゼンなどのユーザが電子カメラ１の近傍で投影画像に関して操作できない場合であっても、操作部２０により操作可能になるので使い勝手が向上する。
【００６８】
（４）リモコン８０において受け付ける操作入力は、ボディ１０および操作部２０において受け付ける操作入力の一部とした。すなわち、リモコン８０から操作可能な機能は、ボディ１０および操作部２０から操作可能な機能と比べて使用頻度の高い機能に限定されるようにした。したがって、小型軽量で操作ボタンが少ない、操作が簡単なリモコン８０を用いて、電子カメラ１から離れた位置からでも被写体の撮影または画像の投影に関する最低限の操作を行なうことができるので、利便性が向上する。
【００６９】
（５）リモコン８０にＬＥＤ８４を設け、切替ボタン８１、調整ボタン８２および設定ボタン８３のいずれかが操作されると発光するようにした。したがって、暗い室内などで画像を投影する場合に、ユーザは上記の各ボタンを確実に把握（操作）することができる。
【００７０】
さらに、調整モードにおいて調整内容が切り替わるごと、すなわち調整ボタン８２が操作されるごとにＬＥＤ８４の発光色を制御して変更するようにした。したがって、ＬＥＤ８４の発光色を確認することにより、いずれの調整内容が調整されているかを把握することができるので、利便性が向上する。
【００７１】
（６）ＬＥＤ８４が発光中に切替ボタン８１、調整ボタン８２および設定ボタン８３が操作されると、操作内容に応じた操作信号が通信部８５からボディ１０の通信部１０８へ送信されるようにした。したがって、暗い室内などで操作する場合に、ユーザは所望の操作ボタンを確認してから操作を行なうことができるので、誤操作を防止することができる。
【００７２】
以上で説明した実施の形態による電子カメラ１を以下のように変形できる。
（１）プロジェクタ投射窓１０３が図８に示される位置に設けられるようにしてもよい。この場合、操作部２０をボディ１０から取り外すことにより、プロジェクタ部３０による画像の投影が可能になる。
【００７３】
（２）操作部２０がボディ１０に装着されている場合には、赤外線通信に代えて接点通信によって各種操作信号を送信してもよい。また、通信部２２および１０８による通信は、たとえばＷｉＦｉなどの双方向無線通信により送受信可能に行なわれてもよい。もしくは、通信部２２および１０８を備える代わりに、たとえばケーブルなどで接続されて有線通信を行なってもよい。
【００７４】
（３）電子カメラ１の電源がオフの場合に切替ボタン８１の操作によりカメラモードで起動するものに代えて、投影モードで起動してもよい。また、ユーザにより起動するモードを選択できるようにしてもよい。この場合、制御回路５０は、液晶表示器１０７に、たとえば「カメラモードと投影モードのどちらで起動しますか」などのメッセージを表示する。そして、たとえばロータリーセレクタ２１５や設定ボタン８３をユーザが操作することにより、いずれのモードで起動するかを選択すればよい。
【００７５】
（４）電子カメラ１の電源がオンの場合にのみリモコン８０からの操作信号を受け付けるようにしてもよい。すなわち、切替ボタン８１の操作で電子カメラ１の電源オン操作を行なわないものでもよい。
【００７６】
（５）操作部２０またはリモコン８０は、メモリカード１１０が着脱可能に構成されていてもよい。この場合、投影モードにおいては、操作部２０またはリモコン８０に装着されたメモリカード１１０に記録された画像データの画像が優先的に投影される。すなわち、投影モード起動後に壁紙画像が投影された状態で、ロータリーセレクタ２１５または設定ボタン８３が操作されると、操作部２０またはリモコン８０に装着されたメモリカード１１０に記録された画像のうち記録日時が最古の画像が投影される。
【００７７】
（６）調整モードにおいて、モードボタン２１１または調整ボタン８２が操作されるごとに調整内容が切り替わるものとして説明したが、操作信号を受信しない状態で所定時間が経過するごとに次の調整内容に切り替わるようにしてもよい。この場合、焦点状態調節の調整内容が起動中に、拡大縮小ボタン２１０または設定ボタン８３が、たとえば３０秒間操作されない場合に、光量調整の調整内容を起動すればよい。
【００７８】
（７）調整モードにおいて、たとえば光量が調整されている場合には、「光量調整モード」などのように調整中の内容を投影画像の上端または下端などに表示してもよい。
【００７９】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００８０】
【図１】本発明の実施の形態による電子カメラの外観図であり、（ａ）は電子カメラの上面を示し、（ｂ）は電子カメラの正面を示す。
【図２】電子カメラの背面斜視図であり、（ａ）は操作部装着時の外観を示し、（ｂ）は操作部取り外し時の外観を示す。
【図３】電子カメラのリモコンの外観図である。
【図４】電子カメラにおける制御系の要部構成を説明するブロック図である。
【図５】プロジェクタ部の構成を説明する電子カメラの断面図であり、（ａ）は図１（ａ）のＡ−Ａ線断面図を示し、（ｂ）は図１（ａ）のＢ−Ｂ線断面図を示す。
【図６】電子カメラの投影モードにおける処理を説明するフローチャートである。
【図７】電子カメラの調整モードにおける処理を説明するフローチャートである。
【図８】本発明の変形例における電子カメラの操作部を取り外した状態での背面斜視図である。
【符号の説明】
【００８１】
３０    プロジェクタ部                  ４０      撮像部
８０    リモコン                        ８１      切替ボタン
８２    調整ボタン                      ８３      設定ボタン
８４    ＬＥＤ                          ８５      通信部
８６    リモコン制御回路
【図１】
2008249960.tif 000003
【図２】
2008249960.tif 000004
【図３】
2008249960.tif 000005
【図４】
2008249960.tif 000006
【図５】
2008249960.tif 000007
【図６】
2008249960.tif 000008
【図７】
2008249960.tif 000009
【図８】
2008249960.tif 000010